【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
符号化されたビデオビットストリームから、リカバリーポイントを示すリカバリーポイント付加拡張情報（ＳＥＩ）メッセージを受信することと、
前記符号化されたビデオビットストリームから、ピクチャに関連付けられた少なくとも１つの領域リフレッシュＳＥＩメッセージを受信することと、前記少なくとも１つの領域リフレッシュＳＥＩメッセージは、前記ピクチャのリフレッシュ領域を示す情報を備え、前記情報は、１の値を有するｒｅｆｒｅｓｈｅｄ＿ｒｅｇｉｏｎ＿ｆｌａｇシンタックス要素を含み、
前記リカバリーポイントを示す前記リカバリーポイントＳＥＩメッセージに含まれるリカバリーピクチャ順序カウント（ＰＯＣ）値の値を使用して、前記ピクチャが、ランダムアクセス復号のために利用可能なリカバリーポイントピクチャを備えるかどうか決定することと、
前記ピクチャがランダムアクセス復号のために利用可能な前記リカバリーポイントピクチャを備えると決定したことに応答して、前記ピクチャが、復号順で、ピクチャの漸次デコーダリフレッシュ（ＧＤＲ）セット内の最後のピクチャを備えることと、前記ピクチャの全体が前記ピクチャの前記リフレッシュ領域に属することとを決定することと、
前記ピクチャの全体が前記ピクチャの前記リフレッシュ領域に属するという前記決定に基づいて、前記ピクチャを復号することと、
を備える方法。
【請求項２】
前記ピクチャの前記リフレッシュ領域が、前記少なくとも１つの領域リフレッシュＳＥＩメッセージに関連付けられたアクセスユニットのすべてのスライスセグメント内のＣＴＵ（ｃｏｄｉｎｇ ｔｒｅｅ ｕｎｉｔ）のセットを備えることを決定することをさらに備える、請求項１に記載の方法。
【請求項３】
前記ピクチャが、前記リカバリーポイントピクチャ、および、復号順で、前記ピクチャのＧＤＲセット内の前記最後のピクチャであることに基づいて、前記ピクチャの全体がコンテンツにおいて正しいまたはコンテンツにおいてほぼ正しいのうちの一方であると決定することをさらに備える、請求項１に記載の方法。
【請求項４】
前記ｒｅｆｒｅｓｈｅｄ＿ｒｅｇｉｏｎ＿ｆｌａｇシンタックス要素が前記１の値を有することに基づいて、前記少なくとも１つの領域リフレッシュＳＥＩメッセージに関連付けられたスライスセグメントが前記ピクチャの前記リフレッシュ領域に属すると決定することをさらに備える、請求項１に記載の方法。
【請求項５】
ビデオデータを復号するためのデバイスであって、
前記ビデオデータを記憶するように構成されたメモリと、
ビデオデコーダと、を備え、前記ビデオデコーダは、
符号化されたビデオビットストリームから、リカバリーポイントを示すリカバリーポイント付加拡張情報（ＳＥＩ）メッセージを受信し、
前記符号化されたビデオビットストリームから、前記符号化されたビデオデータのピクチャに関連付けられた少なくとも１つの領域リフレッシュＳＥＩメッセージを受信し、前記少なくとも１つの領域リフレッシュＳＥＩメッセージは、前記ピクチャのリフレッシュ領域を示す情報を備え、前記情報は、１の値を有するｒｅｆｒｅｓｈｅｄ＿ｒｅｇｉｏｎ＿ｆｌａｇシンタックス要素を含み、
前記リカバリーポイントを示す前記リカバリーポイントＳＥＩメッセージに含まれるリカバリーピクチャ順序カウント（ＰＯＣ）値の値を使用して、前記ピクチャが、ランダムアクセス復号のために利用可能なリカバリーポイントピクチャを備えるかどうか決定し、
前記ピクチャがランダムアクセス復号のために利用可能な前記リカバリーポイントピクチャを備えるという前記決定に応答して、前記ピクチャが、復号順で、ピクチャの漸次デコーダリフレッシュ（ＧＤＲ）セット内の最後のピクチャを備えることと、前記ピクチャの全体が前記ピクチャの前記リフレッシュ領域に属することとを決定し、
前記ピクチャの全体が前記ピクチャの前記リフレッシュ領域に属するという前記決定に基づいて、前記ピクチャを復号する
ように構成された、デバイス。
【請求項６】
前記ビデオデコーダは、前記ピクチャの前記リフレッシュ領域が、前記少なくとも１つの領域リフレッシュＳＥＩメッセージに関連付けられたアクセスユニットのすべてのスライスセグメント内のＣＴＵ（ｃｏｄｉｎｇ ｔｒｅｅ ｕｎｉｔ）のセットを備えることを決定するようにさらに構成される、請求項５に記載のデバイス。
【請求項７】
前記ビデオデコーダは、前記ピクチャが、前記リカバリーポイントピクチャ、および、復号順で、前記ピクチャのＧＤＲセット内の前記最後のピクチャであることに基づいて、前記ピクチャの全体がコンテンツにおいて正しいまたはコンテンツにおいてほぼ正しいのうちの一方であると決定するようにさらに構成される、請求項５に記載のデバイス。
【請求項８】
前記ビデオデコーダは、前記ｒｅｆｒｅｓｈｅｄ＿ｒｅｇｉｏｎ＿ｆｌａｇシンタックス要素が前記１の値を有することに基づいて、前記少なくとも１つの領域リフレッシュＳＥＩメッセージに関連付けられたスライスセグメントが前記ピクチャの前記リフレッシュ領域に属すると決定するようにさらに構成される、請求項５に記載のデバイス。
【請求項９】
実行されると、ビデオ復号デバイスのプロセッサに、
符号化されたビデオビットストリームから、リカバリーポイントを示すリカバリーポイント付加拡張情報（ＳＥＩ）メッセージを受信させ、
前記符号化されたビデオビットストリームから、ピクチャに関連付けられた少なくとも１つの領域リフレッシュＳＥＩメッセージを受信させ、前記少なくとも１つの領域リフレッシュＳＥＩメッセージは、前記ピクチャのリフレッシュ領域を示す情報を備え、前記情報は、１の値を有するｒｅｆｒｅｓｈｅｄ＿ｒｅｇｉｏｎ＿ｆｌａｇシンタックス要素を含み、
前記リカバリーポイントを示す前記リカバリーポイントＳＥＩメッセージに含まれるリカバリーピクチャ順序カウント（ＰＯＣ）値の値を使用して、前記ピクチャが、ランダムアクセス復号のために利用可能なリカバリーポイントピクチャを備えるかどうか決定させ、
前記ピクチャがランダムアクセス復号のために利用可能な前記リカバリーポイントピクチャを備えるという前記決定に応答して、前記ピクチャが、復号順で、ピクチャの漸次デコーダリフレッシュ（ＧＤＲ）セット内の最後のピクチャを備えることと、前記ピクチャの全体が前記ピクチャの前記リフレッシュ領域に属することとを決定させ、
前記ピクチャの全体が前記ピクチャの前記リフレッシュ領域に属するという前記決定に基づいて、前記ピクチャを復号させる、
命令が記憶された非一時的なコンピュータ可読記憶媒体。
【請求項１０】
実行されると、前記ビデオ復号デバイスの前記プロセッサに、前記ピクチャの前記リフレッシュ領域が、前記少なくとも１つの領域リフレッシュＳＥＩメッセージに関連付けられたアクセスユニットのすべてのスライスセグメント内のＣＴＵ（ｃｏｄｉｎｇ ｔｒｅｅ ｕｎｉｔ）のセットを備えることを決定させるさらなる命令が記憶された、請求項９に記載の非一時的なコンピュータ可読記憶媒体。
【請求項１１】
実行されると、前記ビデオ復号デバイスの前記プロセッサに、前記ピクチャが、前記リカバリーポイントピクチャ、および、復号順で、前記ピクチャのＧＤＲセット内の前記最後のピクチャであることに基づいて、前記ピクチャの全体がコンテンツにおいて正しいまたはコンテンツにおいてほぼ正しいのうちの一方であると決定させるさらなる命令が記憶された、請求項９に記載の非一時的なコンピュータ可読記憶媒体。
【請求項１２】
実行されると、前記ビデオ復号デバイスの前記プロセッサに、前記ｒｅｆｒｅｓｈｅｄ＿ｒｅｇｉｏｎ＿ｆｌａｇシンタックスが前記１の値を有することに基づいて、前記少なくとも１つの領域リフレッシュＳＥＩメッセージに関連付けられたスライスセグメントが前記ピクチャの前記リフレッシュ領域に属すると決定させるさらなる命令が記憶された、請求項９に記載の非一時的なコンピュータ可読記憶媒体。
【請求項１３】
ビデオデータを復号するためのデバイスであって、
符号化されたビデオビットストリームから、リカバリーポイントを示すリカバリーポイント付加拡張情報（ＳＥＩ）メッセージを受信するための手段と、
前記符号化されたビデオビットストリームから、ピクチャに関連付けられた少なくとも１つの領域リフレッシュＳＥＩメッセージを受信するための手段と、前記少なくとも１つの領域リフレッシュＳＥＩメッセージは、前記ピクチャのリフレッシュ領域を示す情報を備え、前記情報は、１の値を有するｒｅｆｒｅｓｈｅｄ＿ｒｅｇｉｏｎ＿ｆｌａｇシンタックス要素を含み、
前記リカバリーポイントを示す前記リカバリーポイントＳＥＩメッセージに含まれるリカバリーピクチャ順序カウント（ＰＯＣ）値の値を使用して、前記ピクチャが、ランダムアクセス復号のために利用可能なリカバリーポイントピクチャを備えるかどうか決定するための手段と、
前記ピクチャがランダムアクセス復号のために利用可能な前記リカバリーポイントピクチャを備えると決定したことに応答して、前記ピクチャが、復号順で、ピクチャの漸次デコーダリフレッシュ（ＧＤＲ）セット内の最後のピクチャを備えることと、前記ピクチャの全体が前記ピクチャの前記リフレッシュ領域に属することとを決定するための手段と、
前記ピクチャの全体が前記ピクチャの前記リフレッシュ領域に属するという前記決定に基づいて、前記ピクチャを復号するための手段と、
を備えるデバイス。
【請求項１４】
前記ピクチャの前記リフレッシュ領域が、前記少なくとも１つの領域リフレッシュＳＥＩメッセージに関連付けられたアクセスユニットのすべてのスライスセグメント内のＣＴＵ（ｃｏｄｉｎｇ ｔｒｅｅ ｕｎｉｔ）のセットを備えることを決定するための手段をさらに備える、請求項１３に記載のデバイス。
【請求項１５】
前記ピクチャが、前記リカバリーポイントピクチャ、および、復号順で、前記ピクチャのＧＤＲセット内の前記最後のピクチャであることに基づいて、前記ピクチャの全体がコンテンツにおいて正しいまたはコンテンツにおいてほぼ正しいのうちの一方であると決定することをさらに備える、請求項１３に記載のデバイス。
【請求項１６】
前記ｒｅｆｒｅｓｈｅｄ＿ｒｅｇｉｏｎ＿ｆｌａｇシンタックス要素が前記１の値を有することに基づいて、前記少なくとも１つの領域リフレッシュＳＥＩメッセージに関連付けられたスライスセグメントが前記ピクチャの前記リフレッシュ領域に属すると決定するための手段をさらに備える、請求項１３に記載のデバイス。
【請求項１７】
前記ピクチャが、前記リカバリーポイントピクチャ、および、復号順で、前記ピクチャのＧＤＲセット内の前記最後のピクチャであることに基づいて、アクセスユニットに関連付けられた各領域リフレッシュＳＥＩメッセージが、１の値を有するそれぞれのｒｅｆｒｅｓｈｅｄ＿ｒｅｇｉｏｎ＿ｆｌａｇシンタックス要素を含むことを決定することをさらに備え、前記アクセスユニットは、前記少なくとも１つの領域リフレッシュＳＥＩメッセージを含む、請求項１に記載の方法。
【請求項１８】
前記ビデオデコーダは、前記ピクチャが、前記リカバリーポイントピクチャ、および、復号順で、前記ピクチャのＧＤＲセット内の前記最後のピクチャであることに基づいて、アクセスユニットに関連付けられた各領域リフレッシュＳＥＩメッセージが、１の値を有するそれぞれのｒｅｆｒｅｓｈｅｄ＿ｒｅｇｉｏｎ＿ｆｌａｇシンタックス要素を含むことを決定するようにさらに構成され、前記アクセスユニットは、前記少なくとも１つの領域リフレッシュＳＥＩメッセージを含む、請求項５に記載のデバイス。
【請求項１９】
前記ビデオデータの少なくとも一部を表示するように構成されるディスプレイデバイスをさらに備える、請求項５に記載のデバイス。
【請求項２０】
１つまたは複数の集積回路、
１つまたは複数のマイクロプロセッサ、
１つまたは複数のデジタルシグナルプロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビジョン、
カメラ、
ディスプレイデバイス、
デジタルメディアプレーヤ、
ビデオゲームコンソール、
ビデオゲームデバイス、
ビデオストリーミングデバイス、または、
ワイヤレス通信デバイス、
のうちの少なくとも１つをさらに備える、請求項５に記載のデバイス。
【請求項２１】
実行されると、前記ビデオ復号デバイスの前記プロセッサに、前記ピクチャが、前記リカバリーポイントピクチャ、および、復号順で、前記ピクチャのＧＤＲセット内の前記最後のピクチャであることに基づいて、アクセスユニットに関連付けられた各領域リフレッシュＳＥＩメッセージが、１の値を有するそれぞれのｒｅｆｒｅｓｈｅｄ＿ｒｅｇｉｏｎ＿ｆｌａｇシンタックス要素を含むことを決定させるさらなる命令が記憶され、前記アクセスユニットは、前記少なくとも１つの領域リフレッシュＳＥＩメッセージを含む、請求項９に記載の非一時的なコンピュータ可読記憶媒体。
【請求項２２】
前記ピクチャが、前記リカバリーポイントピクチャ、および、復号順で、前記ピクチャのＧＤＲセット内の前記最後のピクチャであることに基づいて、アクセスユニットに関連付けられた各領域リフレッシュＳＥＩメッセージが、１の値を有するそれぞれのｒｅｆｒｅｓｈｅｄ＿ｒｅｇｉｏｎ＿ｆｌａｇシンタックス要素を含むことを決定するための手段をさらに備え、前記アクセスユニットは、前記少なくとも１つの領域リフレッシュＳＥＩメッセージを含む、請求項１３に記載のデバイス。
【請求項２３】
前記ビデオデータの少なくとも一部を表示するための手段をさらに備える、請求項１３に記載のデバイス。
【請求項２４】
１つまたは複数の集積回路、
１つまたは複数のマイクロプロセッサ、
１つまたは複数のデジタルシグナルプロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビジョン、
カメラ、
ディスプレイデバイス、
デジタルメディアプレーヤ、
ビデオゲームコンソール、
ビデオゲームデバイス、
ビデオストリーミングデバイス、または、
ワイヤレス通信デバイス、
のうちの少なくとも１つをさらに備える、請求項１３に記載のデバイス。